(57)【要約】【課題】ＩＲ及びインバウンド戦略の基盤となる金融オペレーションをコントロールして、外国人旅行者の利便性向上やストレス低減に寄与するとともに、カジノを含む統合型リゾートの「安全・安心」な運営を可能とする電子マネー決済システムを提供する。【解決手段】電子マネー情報及び外国人旅行者のパスポート情報を含む身分証明情報を記憶した決済カード１と、カジノを除く一般施設での一般商品取引やサービス提供に応じた電子マネーの決済処理を行う一般決済処理部２２と、統合型リゾートでのカジノサービスで発生したゲーム対価の支払い又は賞金払い戻しに応じた電子マネーの決済処理を行うカジノ決済処理部３３と、一般決済処理部２２及びカジノ決済処理部３３の決済処理に基づいて、決済カード１に記憶された電子マネー情報を更新する電子マネー処理部２３・３４と、を具備してなる。【選択図】図１
2015143986.tif 000002
【特許請求の範囲】
【請求項１】
カジノを含む統合型リゾートで外国人旅行者向けに提供される各種商品購入やサービスの決済を電子マネーにて行う電子マネー決済システムであって、
電子マネー情報及び外国人旅行者のパスポート情報を含む身分証明情報を記憶した決済カード手段と、
前記決済カード手段に記憶された電子マネー情報及び身分証明情報に基づいて、カジノを除くその他の施設での一般商品取引やサービス提供に応じた電子マネーの決済処理を行う一般決済処理手段と、
前記決済カード手段に記憶された電子マネー情報及び身分証明情報に基づいて、統合型リゾートでのカジノサービスで発生したゲーム対価の支払い又は賞金払い戻しに応じた電子マネーの決済処理を行うカジノ決済処理手段と、
前記一般決済処理手段及びカジノ決済処理手段の決済処理に基づいて、前記決済カード手段に記憶された電子マネー情報を更新する電子マネー処理手段と、
を具備してなるカジノを含む統合型リゾートでの外国人旅行者向け電子マネー決済システム。
【請求項２】
カジノを含む統合型リゾートで外国人旅行者向けに提供される各種商品購入やサービスの決済を電子マネーにて行う電子マネー決済システムであって、
利用者毎に設定される利用者ＩＤ情報を記憶した決済カード手段と、
電子マネー情報を利用者ＩＤ情報に紐付けて管理する電子マネー情報管理手段と、
外国人旅行者のパスポート情報を含む身分証明情報を利用者ＩＤ情報に紐付けて管理する利用者情報管理手段と、
前記決済カード手段に記憶された利用者ＩＤ情報に対応する電子マネー情報及び身分証明情報に基づいて、カジノを除くその他の施設での一般商品取引やサービス提供に応じた電子マネーの決済処理を行う一般決済処理手段と、
前記決済カード手段に記憶された利用者ＩＤ情報に対応する電子マネー情報及び身分証明情報に基づいて、統合型リゾートでのカジノサービスで発生したゲーム対価の支払い又は賞金払い戻しに応じた電子マネーの決済処理を行うカジノ決済処理手段と、
前記一般決済処理手段及びカジノ決済処理手段の決済処理に基づいて、前記電子マネー情報管理手段に記憶された電子マネー情報を更新する電子マネー処理手段と、
を具備してなるカジノを含む統合型リゾートでの外国人旅行者向け電子マネー決済システム。
【請求項３】
前記カジノ決済処理手段にて決済処理されたゲーム対価の支払いに応じた支払金情報及び賞金払い戻しに基づく払戻金情報を記憶するカジノ決済管理手段と、
前記カジノ決済管理手段に記憶された支払金情報及び払戻金情報に基づいてカジノ事業者が国又は地方公共団体に納付すべきカジノ税額を演算して記憶するカジノ事業者税徴収管理手段と、
を具備してなる請求項１又は請求項２に記載のカジノを含む統合型リゾートでの外国人旅行者向け電子マネー決済システム。
【請求項４】
前記カジノ決済処理手段にて決済処理された払戻金が所定額以上の場合に、利用者が国又は地方公共団体に納付すべき税額を演算して記憶する利用者税徴収管理手段を具備してなる請求項１乃至請求項３のいずれか一項に記載のカジノを含む統合型リゾートでの外国人旅行者向け電子マネー決済システム。
【請求項５】
前記カジノ決済処理手段からの賞金払い戻しに応じた電子マネーのチャージ要求を受けて、前記決済カード手段又は電子マネー情報管理手段に記憶された電子マネー情報を更新して相当する電子マネーをチャージするチャージ処理手段を具備してなる請求項１乃至請求項４のいずれか一項に記載のカジノを含む統合型リゾートでの外国人旅行者向け電子マネー決済システム。
【請求項６】
前記一般決済処理手段及びカジノ決済処理手段の決済処理に基づいて、電子マネーの利用状況にて裏付けられた利用者の行動履歴に関する情報を管理する行動履歴情報管理手段を具備してなる請求項１乃至請求項５のいずれか一項に記載のカジノを含む統合型リゾートでの外国人旅行者向け電子マネー決済システム。
【請求項７】
前記一般決済処理手段は、同一施設で一定の利用履歴がある場合に、一般商品取引やサービス提供に応じた電子マネーの決済を割り引いて処理する請求項１乃至請求項６のいずれか一項に記載のカジノを含む統合型リゾートでの外国人旅行者向け電子マネー決済システム。
【発明の詳細な説明】
【技術分野】
【０００１】
本発明は、カジノを含む統合型リゾートでの外国人旅行者向け電子マネー決済システムの技術に関し、より詳細には、カジノを含む統合型リゾートで外国人旅行者向けに提供される各種商品購入やサービスの決済を電子マネーにて行う電子マネー決済システムに関する。
【背景技術】
【０００２】
近年、わが国では、観光立国及び地域経済の振興に寄与するとともに、税収により地方公共団体の財政改善に資するとして、いわゆるＩＲ（Ｉｎｔｅｇｒａｔｅｄ  Ｒｅｓｏｒｔ）の本格導入へ向けた議論が進められている。このＩＲとは、カジノ施設、レクリエーション施設、ＭＩＣＥ（会議場施設ならびに展示施設等）、エンターテイメント施設、及び宿泊施設等の観光振興に寄与すると認められる施設が一体となっている複合観光施設の総称であり、特に、２０２０年の東京オリンピック開催の決定を受けて、インバウンドツーリズム（外国人旅行者）の囲い込みによる観光収益向上の機運も高まりつつある中、交通・通信等の各種インフラ整備も含めたカジノを含む統合型リゾート関連事業の推進が期待され、日本国の成長戦略に資する観光産業の一助になるとされている。
【０００３】
また、日本における外国人旅行者は、平成２５年（２０１３年）に初めて１，０００万人を突破し、将来予測として更なる増加が見込まれている（政府目標は年間３，０００万人）。今後は、多様な文化的背景を持つ外国人旅行者一人ひとりに対して、快適な観光サービスをサポートするストレスのないＩＣＴインフラの拡充が不可欠であり、外国人旅行者の誘致を活性化するためにも早期の拡充が期待されているところである。
【０００４】
かかるＩＲでは、民間企業による外国人旅行者に対するサービス喚起及びサービス対応を活性化しつつ、交通や公衆無線等の各種インフラ整備や、コミュニケーションツールの充実化（多言語化）等の各種インバウンド戦略も踏まえながら、カジノを含む統合型リゾートを運営する事業者等からの税（国・地方税及びカジノ税等）を適正に徴収し、マネーロンダリング等の犯罪を防止するためにカジノ利用者（外国人旅行者）及びカジノ施設内の資金管理をコントロールして、地域経済の振興に寄与するとともに、適切な国の監視及び管理の下で運営される健全なカジノ施設の収益が社会に還元されるような決済システムが採用されることが希求されている。
【０００５】
従来、カジノを含む施設等の運営システムとして、例えば、特許文献１に開示されるように、ホテルにおけるホテルサービスとカジノにおけるカジノサービスを統合して、ハウスカード（ＩＣカード等）で施設内の全てのサービスの提供を現金のやりとりなしにキャッシュレスで受けることができ、かつ決済できるようにしたカジノが設置されたホテルにおける各種提供サービスの決済システムの構成が公知となっている。また、特許文献２に開示されるように、自治体から運営許可を得たカジノを利用するユーザが自ら所有するネットワーク接続可能な端末装置を使用して、ネットワークを介してカジノに設置される各種ゲームを行うことができるオンラインカジノ形式における決済システムが公知となっている。
【０００６】
確かに、上述した特許文献１又は特許文献２に開示された決済システムでは、ホテル内やオンラインカジノ内にてキャッシュレスにて決済できるため、利用者の利便性に資するとともに、事業者にとっても決済プロセスが容易となり、特に、特許文献２の決済システムでは、オンラインカジノに参加した利用者からカジノ税等の税金を徴収することも可能としているが、かかる決済システムでは、単一施設内又はオンライン上での決済に留まるため、上述した観光及び地域経済の振興という観点から、カジノを含む統合型リゾートでの外国人旅行者向け電子マネー決済システムとして採用することはできない。
【０００７】
ところで、近年、商品購入代金の決済時に現金を使わない新しい決済手段として、電子マネーを用いた決済システム（電子マネー決済システム）が種々提案されている。この電子マネーは、貨幣価値をデジタルデータ化したものであって、例えば、ＩＣチップを組み込んだ決済カードに記憶され、商品取引やサービス提供に応じて加減自在に更新することにより、現金での支払いと同じように用いられる。この種の電子マネー決済システムでは、商品購入代金の決済時に、決済カードから電子マネー情報を読み出して商品購入代金に相当する貨幣価値分を減算し、当該カードの記憶部に書き込まれている電子マネー情報を減算後の電子マネー情報へ更新することにより商品購入代金の精算を行うものである。
【０００８】
かかる電子マネーは、日本ではプリペイド型電子マネー等として、決済手段の一つとして一般的に普及しつつあるものの、シンガポールやドイツ・フランス等の一部欧州諸国を除き、欧米やアジア各国での普及率は未だ低い。しかしながら、日本において電子マネーが商品代金の支払いだけでなく鉄道運賃、レストランでの飲食代金、又はホテルでの宿泊代金等での決済手段として用いられていることを鑑みると、特に、外国人旅行者にとって、カジノ施設のみならず日本国内の他の一般商業施設や交通インフラ、公共インフラにて電子マネーを利用できるようになれば、カジノを含む統合型リゾートへ外国人旅行者を自然誘致することができるとともに、外国人旅行者の滞在中に要する生活や移動においてストレスの無い多様なサービスを提供できるものと期待される。すなわち、外国人旅行者の観光動線の多様化に対応したシームレスな電子マネー決済システムを構築することで、インバウンド戦略と並行して整備しなければならない日本国内の「おもてなしサービス」に資するものとして、観光産業並びに地域経済の振興に多大に貢献できるものと期待されるのである。
【先行技術文献】
【特許文献】
【０００９】
【特許文献１】特開２００４−１９９２０７号公報
【特許文献２】特開２００６−２２８０８１号公報
【発明の概要】
【発明が解決しようとする課題】
【００１０】
そこで、本発明では、カジノを含む統合型リゾートでの外国人旅行者向け電子マネー決済システムに関し、前記従来の課題を解決するもので、ＩＲ及びインバウンド戦略の基盤となる金融オペレーションをコントロールして、外国人旅行者の利便性向上やストレス低減に寄与するとともに、カジノを含む統合型リゾートの「安全・安心」な運営を可能とする電子マネー決済システムを提供することを目的とする。
【課題を解決するための手段】
【００１１】
本発明の解決しようとする課題は以上の如くであり、次にこの課題を解決するための手段を説明する。
【００１２】
すなわち、請求項１においては、カジノを含む統合型リゾートで外国人旅行者向けに提供される各種商品購入やサービスの決済を電子マネーにて行う電子マネー決済システムであって、電子マネー情報及び外国人旅行者のパスポート情報を含む身分証明情報を記憶した決済カード手段と、前記決済カード手段に記憶された電子マネー情報及び身分証明情報に基づいて、カジノを除くその他の施設での一般商品取引やサービス提供に応じた電子マネーの決済処理を行う一般決済処理手段と、前記決済カード手段に記憶された電子マネー情報及び身分証明情報に基づいて、統合型リゾートでのカジノサービスで発生したゲーム対価の支払い又は賞金払い戻しに応じた電子マネーの決済処理を行うカジノ決済処理手段と、前記一般決済処理手段及びカジノ決済処理手段の決済処理に基づいて、前記決済カード手段に記憶された電子マネー情報を更新する電子マネー処理手段と、を具備してなるものである。
【００１３】
請求項２においては、カジノを含む統合型リゾートで外国人旅行者向けに提供される各種商品購入やサービスの決済を電子マネーにて行う電子マネー決済システムであって、利用者毎に設定される利用者ＩＤ情報を記憶した決済カード手段と、電子マネー情報を利用者ＩＤ情報に紐付けて管理する電子マネー情報管理手段と、外国人旅行者のパスポート情報を含む身分証明情報を利用者ＩＤ情報に紐付けて管理する利用者情報管理手段と、前記決済カード手段に記憶された利用者ＩＤ情報に対応する電子マネー情報及び身分証明情報に基づいて、カジノを除くその他の施設での一般商品取引やサービス提供に応じた電子マネーの決済処理を行う一般決済処理手段と、前記決済カード手段に記憶された利用者ＩＤ情報に対応する電子マネー情報及び身分証明情報に基づいて、統合型リゾートでのカジノサービスで発生したゲーム対価の支払い又は賞金払い戻しに応じた電子マネーの決済処理を行うカジノ決済処理手段と、前記一般決済処理手段及びカジノ決済処理手段の決済処理に基づいて、前記電子マネー情報管理手段に記憶された電子マネー情報を更新する電子マネー処理手段と、を具備してなるため、
【００１４】
請求項３においては、前記カジノ決済処理手段にて決済処理されたゲーム対価の支払いに応じた支払金情報及び賞金払い戻しに基づく払戻金情報を記憶するカジノ決済管理手段と、前記カジノ決済管理手段に記憶された支払金情報及び払戻金情報に基づいてカジノ事業者が国又は地方公共団体に納付すべきカジノ税額を演算して記憶するカジノ事業者税徴収管理手段と、を具備してなるものである。
【００１５】
請求項４においては、前記カジノ決済処理手段にて決済処理された払戻金が所定額以上の場合に、利用者が国又は地方公共団体に納付すべき税額を演算して記憶する利用者税徴収管理手段を具備してなるものである。
【００１６】
請求項５においては、前記カジノ決済処理手段からの賞金払い戻しに応じた電子マネーのチャージ要求を受けて、前記決済カード手段又は電子マネー情報管理手段に記憶された電子マネー情報を更新して相当する電子マネーをチャージするチャージ処理手段を具備してなるものである。
【００１７】
請求項６においては、前記一般決済処理手段及びカジノ決済処理手段の決済処理に基づいて、電子マネーの利用状況にて裏付けられた利用者の行動履歴に関する情報を管理する行動履歴情報管理手段を具備してなるものである。
【００１８】
請求項７においては、前記一般決済処理手段は、同一施設で一定の利用履歴がある場合に、一般商品取引やサービス提供に応じた電子マネーの決済を割り引いて処理するものである。
【発明の効果】
【００１９】
本発明の効果として、ＩＲ及びインバウンド戦略の基盤となる金融オペレーションをコントロールして、外国人旅行者の利便性向上やストレス低減に寄与するとともに、カジノを含む統合型リゾートの「安全・安心」な運営が可能となる。
【図面の簡単な説明】
【００２０】
【図１】本発明の一実施例に係る電子マネー決済システムの全体的な構成を示した機能ブロック図である。
【図２】国内滞在時の外国人旅行者の行動パターンを示すフローチャートである。
【図３】電子マネーのチャージ処理の流れを示したシーケンス図である。
【図４】一般施設における電子マネー決済の流れを示すシーケンス図である。
【図５】カジノ施設における入場料の支払い決済の流れを示すシーケンス図である。
【図６】カジノ施設におけるゲーム対価の支払い及び賞金払い戻し決済の流れを示すシーケンス図である。
【図７】別実施例の電子マネー決済システムの全体的な構成を示した機能ブロック図である。
【図８】別実施例の電子マネー決済システムでの電子マネーのチャージ処理の流れを示したシーケンス図である。
【図９】別実施例の電子マネー決済システムでの一般施設における電子マネー決済の流れを示すシーケンス図である。
【図１０】別実施例の電子マネー決済システムでのカジノ施設における入場料の支払い決済の流れを示すシーケンス図である。
【図１１】別実施例の電子マネー決済システムでのカジノ施設におけるゲーム対価の支払い及び賞金払い戻し決済の流れを示すシーケンス図である。
【発明を実施するための形態】
【００２１】
次に、発明を実施するための形態を説明する。
【００２２】
まず、本実施例の電子マネー決済システム１００の全体構成について、以下に説明する。
【００２３】
図１に示すように、本実施例の電子マネー決済システム１００は、カジノを含む統合型リゾートで外国人旅行者向けに提供される各種商品購入やサービスの決済を電子マネーにて行う決済システムであり、具体的には、電子マネー情報及び外国人旅行者のパスポート情報を含む身分証明情報を記憶した決済カード手段としての決済カード１と、カジノを除くその他の施設（一般施設）に設置され決済カード１と情報の授受を行う一般施設装置２と、カジノ施設に設置され決済カード１と情報の授受を行うカジノ施設装置３と、決済カード１と授受される情報を管理するセンタ側に設置され、一般施設装置２及びカジノ施設装置３と通信ネットワーク１０を介して接続される管理サーバ４等とで構成されている。
【００２４】
本実施例の「カジノを含む統合型リゾート」とは、カジノ施設、レクリエーション施設、ＭＩＣＥ（会議場施設ならびに展示施設等）、エンターテイメント施設、及び宿泊施設等の観光振興に寄与すると認められる施設が一体となっている複合観光施設を含み、当該地域における他の施設や交通機関等の施設群の総称のことである。そのため、カジノを除くその他の施設（一般施設）としては、例えば、ホテル、量販店ショップ、レストラン、及びコンビニ等の施設の他、鉄道や空港等の各種交通機関の施設を含むものである。本実施例の電子マネー決済システム１００は、かかるロケーションにおける外国人旅行者の観光動線の多様化に対応したシームレスな決済システムとして構成される。
【００２５】
通信ネットワーク１０は、インターネット接続を含む有線回線、ＷｉＦｉ（登録商標）等の無線回線、ＣＡＴＶ（ｃａｂｌｅ ｔｅｌｅｖｉｓｉｏｎ）回線、その他の通信回線網をいう。特に、通信ネットワーク１０の一部又は全部をＶＰＮ（Ｖｉｒｔｕａｌ  Ｐｒｉｖａｔｅ  Ｎｅｔｗｏｒｋ）等の所定の専用通信回線としたり、通信データの暗号化技術等を用いたりすることで、通信ネットワーク１０のセキュリティ性をより高めることができる。
【００２６】
決済カード１は、電子マネー情報及び外国人旅行者のパスポート情報を含む身分証明情報を記憶するＩＣチップが組み込まれた非接触型カードとして構成され、具体的には、利用者ＩＤ情報記憶部１１と、電子マネー情報記憶部１２と、身分証明情報記憶部１３等とが設けられている。
【００２７】
利用者ＩＤ情報記憶部１１は、利用者毎に設定される利用者ＩＤ情報が記憶される。利用者ＩＤ情報記憶部１１に記憶された利用者ＩＤ情報は、決済カード１及びこの決済カード１を所有する利用者を識別するために更新することができないようになっている。また、利用者ＩＤ情報は、組み込まれるＩＣチップに予め付与された識別情報をそのまま用いてもよく、独自に管理し易い識別情報を新たに付与するようにしてもよい。
【００２８】
電子マネー情報記憶部１２は、貨幣価値をデジタルデータ化した電子マネー情報が記憶される。電子マネー情報記憶部１２に記憶される電子マネー情報は、後述する一般施設装置２の電子マネー処理部２３及びカジノ施設装置３の電子マネー処理部３４にて更新されて減額されるとともに、管理サーバ４のチャージ処理部４４にて電子マネーがチャージ（増額）される。
【００２９】
身分証明情報記憶部１３は、少なくとも利用者としての外国人旅行者のパスポート情報を含む身分証明情報が記憶される。身分証明情報には、パスポートナンバー、氏名、国籍、生年月日等のパスポートに記載される情報やＶＩＳＡ情報等が含まれ、後述する一般施設やカジノ施設等での決済時に利用者の身分を証明する情報として利用される。なお、外国人旅行者は、予め国内外の空港等に設置される所定の端末装置を用いて、決済カード１の身分証明情報記憶部１３に身分証明情報を記憶させておくことができる。
【００３０】
なお、決済カード１は、必ずしも外観がカード形状を有していなくてもよく、例えば、決済カード１と同様の情報を有する携帯電話や携帯情報端末等を決済カードと考えてもよい。
【００３１】
一般施設装置２は、主に一般施設にて設置されるパーソナルコンピュータ等の情報通信端末として構成され、ＣＰＵやメモリ等からなる制御装置、表示装置、入力装置、及び記憶装置等を具備してなり、ＣＰＵにてプログラムが実行されて情報処理されることにより各処理部での機能が実現されるように構成されている。具体的には、本実施例の一般施設装置２は、カード記憶情報授受部２０と、代金情報受付部２１と、一般決済処理部２２と、電子マネー処理部２３と、管理情報通信部２４等とが設けられている。
【００３２】
本実施例の一般施設装置２は、例えば、ホテル、量販店ショップ、レストラン、及びコンビニ等の施設の他、鉄道や空港等の各種交通機関内のカウンタ等に設置され、カード記憶情報授受部２０を介して商品取引やサービス提供に応じた代金の支払い会計の際に、電子マネーの決済処理を行うものである。
【００３３】
カード記憶情報授受部２０は、決済カード１に記憶されている利用者ＩＤ情報、電子マネー情報及び身分証明情報の読み書き処理を行うリーダライタ装置（端末）として構成され、本実施例では非接触型の決済カード１が用いられることから、近接してかざすだけで情報の授受が行われる非接触型カードリーダライタとして構成されている。
【００３４】
代金情報受付部２１は、商品取引やサービス提供に応じた金額を少なくとも含み、その他品名、品番、サービス名といった商品サービス情報を受け付ける処理を行うものである。
【００３５】
一般決済処理部２２は、カード記憶情報授受部２０にて読み取られた電子マネー情報及び身分証明情報に基づいて、代金情報受付部２１にて入力された商品サービス情報（金額）と比較して、電子マネーを減額して決済処理を行うものである。一般決済処理部２２にて決済処理が行われると、後述する電子マネー処理部２３へ決済処理に基づいた更新指示を送るとともに、管理情報通信部２４を介して後述する管理サーバ４へ決済報告を送信する。
【００３６】
なお、一般決済処理部２２は、カード記憶情報授受部２０にて読み取られた利用者ＩＤ情報又は身分証明情報に基づいて、同一施設での利用やチャージに関して一定の利用履歴がある場合に、一般商品取引やサービス提供に応じた電子マネーの決済を割り引いて処理する。また、一般決済処理部２２では、電子マネー情報と商品サービス情報（金額）とを比較して、電子マネーの残金が商品取引やサービス提供に応じた代金に満たないと判断した場合や、身分証明情報に基づいて入場者の年齢や国籍等のパスポート情報を参照して、利用者の身元を特定できない場合等には決済処理を行わない。
【００３７】
電子マネー処理部２３は、一般決済処理部２２から送られた決済処理に基づいた更新指示を受け取ると、カード記憶情報授受部２０を介して決済カード１に記憶された電子マネー情報を更新する。
【００３８】
このように一般施設装置２では、商品取引やサービス提供に応じた代金の支払いの際に、カード記憶情報授受部２０にて読み取られた電子マネー情報及び身分証明情報に基づいて、一般決済処理部２２にて所定の決済処理が行われ、電子マネー処理部２３にてカード記憶情報授受部２０を介して決済カード１の電子マネー情報が更新される。
【００３９】
カジノ施設装置３は、カジノ施設に設置されるパーソナルコンピュータ等の情報通信端末として構成され、ＣＰＵやメモリ等からなる制御装置、表示装置、入力装置、及び記憶装置等を具備してなり、ＣＰＵにてプログラムが実行されて情報処理されることにより各処理部での機能が実現されるように構成されている。本実施例のカジノ施設装置３は、カード記憶情報授受部３０ａ〜３０ｄと、代金情報受付部３１と、入場管理部３２と、カジノ決済処理部３３と、電子マネー処理部３４と、管理情報通信部３５と、カジノ決済記憶部３６と、カジノ事業者税徴収管理３７と、利用者税徴収管理３８等とが設けられている。
【００４０】
本実施例のカジノ施設装置３は、統合型リゾートを構成するカジノ施設内に複数のカード記憶情報授受部３０ａ〜３０ｄが設置され、カード記憶情報授受部３０ａ〜３０ｄを介してカジノサービスで発生したゲーム対価の支払い又は賞金払い戻しの際等に電子マネーの決済処理を行うものである。
【００４１】
カード記憶情報授受部３０ａ〜３０ｄは、決済カード１に記憶されている利用者ＩＤ情報、電子マネー情報及び身分証明情報の読み書き処理を行うリーダライタ装置（端末）として構成され、本実施例では非接触型の決済カード１が用いられることから、接触させずとも近接してかざすだけで情報の授受が行われる非接触型カードリーダライタとして構成されている。
【００４２】
カード記憶情報授受部３０ａ〜３０ｄは、それぞれカジノ施設に設置された入退場装置５０、カジノゲーム機用の遊技金購入装置５１、テーブルゲーム機用のチップ購入装置５２、及び賞金払戻装置５３等と接続されている。
【００４３】
入退場装置５０は、カジノ施設の入退場口に設置され、カジノ施設への入場の際に入場料を徴収するための装置である。本実施例のカジノ施設装置３では、かかる入退場装置５０にカード記憶情報授受部３０ａが接続され、入場料の支払いが電子マネーにて決済可能とされている。
【００４４】
遊技金購入装置５１は、スロットマシン、ポーカーマシン、ダイスマシン、ダーツマシンのようにゲームを電子式や機械式で行うゲーム機にて使用する遊技金（コイン、紙幣、プリペイドカード等）を購入するための装置であり、また、チップ購入装置５２は、テーブルゲームのように遊技金を直接取扱わないゲーム機にて使用するチップやメダル等を購入するための設置である。本実施例のカジノ施設装置３では、遊技金購入装置５１にカード記憶情報授受部３０ｂが接続され、チップ購入装置５２にカード記憶情報授受部３０ｃが接続されて、遊技金やチップの購入の際のゲーム対価の支払いが電子マネーにて決済可能とされている。
【００４５】
賞金払戻装置５３は、ゲーム機にてコインや紙幣の他、獲得賞金の総額を表す情報が記録されたチケットやクーポン等の形式で発行された獲得賞金の払い戻しを受けるための装置である。本実施例のカジノ施設装置３では、賞金払戻装置５３にカード記憶情報授受部３０ｄが接続されて、賞金の払い戻しが電子マネーにて決済可能とされており、管理サーバ４（チャージ処理部４４）にてコインやチケット等の賞金総額に対応する額の電子マネーが決済カード１にチャージされる。
【００４６】
代金情報受付部３１は、カジノサービスで発生した入場料、ゲーム対価の支払い額、及び賞金払い戻し額を少なくとも含み、その他入場人数、遊技金やチップ等の単価、賞金総額といったカジノ利用情報を受け付ける処理を行うものである。
【００４７】
入場管理部３２は、入退場装置５０に接続されたカード記憶情報授受部３０ａにて読み取られた身分証明情報に基づいて、入場者の年齢や国籍等のパスポート情報等を参照して、カジノ施設に入場可能な人物であるかどうかを判断するものである。入場管理部３２にて入場者が入場不可であると判断した場合には、図示せぬ警告装置を介してカジノ施設の管理者等に通報する。
【００４８】
カジノ決済処理部３３は、カード記憶情報授受部３０ａ〜３０ｄにて読み取られた電子マネー情報及び身分証明情報に基づいて、電子マネーを減額又は増額して決済処理を行うものである。カジノ決済処理部３３にて決済処理が行われた結果、代金情報受付部３１にて入力されたカジノ利用情報（金額）と比較して電子マネーを減額する場合は、後述する電子マネー処理部３４へ決済処理に基づいた更新指示を送るとともに、管理情報通信部３５を介して後述する管理サーバ４へ決済報告を送信する。一方、電子マネーを増額する場合は、管理情報通信部３５を介して後述する管理サーバ４（チャージ処理部４４）へチャージ要求を送信する。
【００４９】
なお、カジノ決済処理部３３では、カジノサービスで発生したゲーム対価の支払い等の場合に、電子マネー情報とカジノ利用情報（金額）とを比較して、電子マネーの残金がカジノ施設の入場料やカジノサービスで発生したゲーム対価に応じた代金に満たないと判断した場合や、身分証明情報に基づいて入場者の年齢や国籍等のパスポート情報を参照して、利用者の身元を特定できない場合等には決済処理を行わない。また、カジノ決済処理部３３では、予め設定された限度額以上の決済処理を行わないように設定してもよい。このように制限を設けて決済額をコントロールすることで、ＩＲ導入を検討する上での重要課題であるギャンブル依存症対策にも貢献できる。
【００５０】
電子マネー処理３４は、カジノ決済処理部３３から送られた決済処理に基づいた更新指示を受け取ると、カード記憶情報授受部３０ａ〜３０ｄを介して決済カード１に記憶された電子マネー情報を更新する。
【００５１】
カジノ決済管理部３６は、カジノ決済処理部３３にて決済処理されたゲーム対価の支払いに応じた支払金情報及び賞金払い戻しに基づく払戻金情報を記憶するものである。カジノ決済記憶部３６では、利用者の支払いや賞金だけでなく、ゲーム機毎の遊技金や賞金等の履歴等、カジノ施設の運営を規制する当局（国、地方公共団体、又は各地の公安委員会やゲーム規制委員会等）の定める事項が管理されて記憶される。このように、カジノ決済記憶部３６にて各種情報が管理されることで、例えば、当局に対する報告義務を適正に履行するなどして、カジノ施設の健全性を担保することができる。
【００５２】
カジノ事業者税徴収管理部３７は、カジノ決済管理部３６に記憶された支払金情報及び払戻金情報に基づいてカジノ事業者が国又は地方公共団体に納付すべきカジノ税額を演算して記憶するものである。このカジノ税額は、支払金及び払戻金に国又は地方公共団体が定めるカジノ税率を掛け合わせて演算処理することで決定される。カジノ税としては、国又は地方税の他に、例えば、地域還元資金として利用するために徴収されるものや、外国人旅行者に対するインバウンド事業者等に提供されるＣＳＲ事業費用として徴収されるもの等が含まれてもよい。
【００５３】
一例を紹介すると、フランスのアンギャンレバン市では、実際にカジノ税を地域に還元する取り組みが行われている。アンギャンレバン市は、「ユネスコ創造都市ネットワーク」にも選定される等、市の総予算の１３％を文化事業に充てており、その中で、主にカジノ税を環境美化、建築物保存、及び教育施設の拡充等の地域の安全・安心に資する事業資金として地域に還元している。そして、調査によると、カジノ事業者や市民において、カジノ税が地域の教育や街づくりに寄与し、健やかな発展の一助になっているという意識を持っているという報告もなされている。事実、アンギャンレバン市は、フランスで最も美しい町の一つとして認知されつつあり、治安も良く、さらには住宅地の土地価格がヴァルドワーズ県内で最も高いなど、パリ北部の郊外都市のうちで特別な地位を占めるに至っており、カジノ施設を中心としたブランディングの成果を上げているという実態がある。
【００５４】
カジノ事業者税徴収管理部３７では、例えば、カジノ施設で利用者がゲーム対価として支払った支払金総額に対する定率にカジノ税が規定されている場合には、カジノ決済管理部３６から支払金総額に関する支払金情報を読み出して、カジノ税額を演算する。また、例えば、カジノ施設で利用者がゲーム対価として支払った支払金と賞金として受け取った払戻金との差額に対する定率にカジノ税が規定されている場合には、カジノ決済管理部３６から支払金に関する支払金情報と払戻金に関する払戻金情報をそれぞれ読み出して、その差額よりカジノ税額を演算する。
【００５５】
なお、カジノ事業者税徴収管理部３７は、管轄する地方公共団体等の通信制御部と通信ネットワークを介して接続されて、管理されているカジノ税額が閲覧可能とされてもよく、また国又は地方公共団体の定める所定銀行の振込口座にネットワークを介して接続されて、カジノ税額をオンラインで納付可能とされてもよい。
【００５６】
利用者税徴収管理部３８は、カジノ決済処理部３３にて決済処理された払戻金が所定額以上の場合に、利用者が国又は地方公共団体に納付すべき税額を演算して記憶するものである。利用者が国又は地方公共団体に納付すべき税額は、払戻金に国又は地方公共団体が定める所定税率を掛け合わせて演算処理することで決定される。
【００５７】
このようにカジノ施設装置３では、カジノサービスで発生したゲーム対価の支払いや賞金払い戻し等に応じた代金の支払い又は賞金払い戻しの際に、カード記憶情報授受部３０ａ〜３０ｄにて読み取られた利用者ＩＤ情報、電子マネー情報及び身分証明情報に基づいて、カジノ決済処理部３３にて所定の決済処理が行われ、電子マネー処理部３４にてカード記憶情報授受部３０ａ〜３０ｄを介して決済カード１の電子マネー情報が更新される。
【００５８】
管理サーバ４は、Ｗｅｂサーバ、アプリケーションサーバ及びデータベース等からなるサーバ装置として構成され、ＣＰＵや主メモリ等からなる制御装置、入力装置、及び記憶装置等を具備してなり、ＣＰＵにてプログラムが実行されて情報処理されることにより各処理部での機能が実現されるように構成されている。本実施例の管理サーバ４は、管理情報管理部４０と、電子マネー情報管理部４１と、利用者情報管理部４２と、行動履歴情報管理部４３と、チャージ処理部４４等とが設けられている。
【００５９】
管理情報受付部４０は、通信ネットワーク１０を介して一般施設装置２の管理情報通信部２４又はカジノ施設装置３の管理情報通信部３５からの決済報告やチャージ指令等の情報を受け付ける処理を行う。
【００６０】
電子マネー情報管理部４１は、決済カード１における電子マネー情報記憶部１２と同様に、貨幣価値をデジタルデータ化した電子マネー情報を記憶して、決済カード１の電子マネー情報記憶部１２に記憶された電子マネー情報を利用者毎に設定される利用者ＩＤ情報に紐付けて管理するものである。電子マネー情報管理部４１にて管理される電子マネー情報は、上述した一般施設装置２の一般決済処理部２２又はカジノ施設装置３のカジノ決済処理部３３からの決済報告を受けて減額され、又後述するチャージ処理部４４によるチャージ処理を受けて増額される。
【００６１】
利用者情報管理部４２は、本実施例の電子マネー決済システム１００を利用する者をカード会員とし、利用者毎に設定される利用者ＩＤ情報の他、利用者である外国人旅行者の身分証明情報（パスポートナンバー、氏名、国籍、生年月日等のパスポートに記載される情報やＶＩＳＡ情報等）、住所、電話番号（携帯電話番号を含む）・メールアドレス等の連絡先、年収、勤務先、勤続年数、配偶者の有無、救命救急のためのメディカルデータ（薬名、持病の有無、血液型の詳細等）等の情報を利用者ＩＤ情報に紐付けて管理するものである。
【００６２】
行動履歴情報管理部４３は、電子マネーの利用状況に裏付けられた利用者の行動履歴に関する情報（行動履歴情報）をデータベース化して利用者ＩＤ情報に紐付けて管理するものである。行動履歴情報としては、電子マネーの残高に関する情報とともに、電子マネーの決済履歴から、外国人旅行者の使用・チャージの額・日時・場所等に関する情報等が含まれる。
【００６３】
なお、行動履歴情報管理部４３に管理される行動履歴情報は、国又は地方公共団体や民間企業にビッグデータとして有償／無償にて提供してもよい。ただし、いわゆる個人情報保護法の関係で、サーバ事業者は不正取得とならないように行動履歴情報の内容を制限するものとし、また、有償／無償の別を問わず第三者への目的外使用及び転用を禁止するよう個人情報保護ポリシーを順守し、必要最小限の行動履歴情報のみを提供するものとする。特に、かかる行動履歴情報は、犯罪捜査等に貢献できるビッグデータとしても活用でき、例えば、外国人旅行者に関係する犯罪、事件、事故が発生した場合に、捜査情報として警察等の機関に適法な措置を講じた上で提供するようにしてもよい。
【００６４】
チャージ処理部４４は、電子マネーチャージ用決済カード利用機（図略）からのチャージ要求や、カジノ施設装置３のカジノ決済処理部３３からの賞金払い戻しに応じた電子マネーのチャージ要求等を受けて、決済カード１に記憶された電子マネー情報を更新して相当する電子マネーをチャージするものである。
【００６５】
次に、本実施例の電子マネー決済システム１００の決済処理の流れの一例について、以下に利用者の行動パターンと共に説明する。
【００６６】
以下では、図２に示すように、入国後から出国までの間に利用者（外国人旅行者）がカジノを含む統合型リゾートの各種施設にて電子マネー決済をする具体場面を想定して、決済カード１に電子マネーをチャージする処理（Ｓ１００〜Ｓ１０４）、一般施設における電子マネー決済時の処理（Ｓ２００〜Ｓ２０５）、カジノ施設における入場料の支払い決済時の処理（Ｓ３００〜Ｓ３０６）、カジノ施設におけるゲーム対価の支払い決済時の処理（Ｓ４００〜Ｓ４０６）、及びカジノ施設における賞金の払い戻し決済時の処理（Ｓ４１０〜Ｓ４１７）の流れをそれぞれ説明する。
【００６７】
＜電子マネーのチャージ＞
図３に示すように、利用者が決済カード１に電子マネーをチャージする場合は、空港や銀行等に設置された所定の電子マネーチャージ用決済カード利用機（図略）に決済カード１をセットし、現金またはクレジットカード等を挿入して利用者ＩＤ情報とともに電子マネーのチャージ（書込み）を管理サーバ４に対して要求する（Ｓ１００）。この要求に対して管理サーバ４は、例えば、クレジットカードセンタや利用者の口座を管理する金融機関のセンタ等に照会要求を行って要求された金額の決済ができることを確認した後（Ｓ１０１）、チャージ処理部４４にて要求された金額に相当する電子マネーを決済カード１にチャージする（Ｓ１０２）。
【００６８】
そして、決済カード１の電子マネー情報記憶部１２に電子マネー情報が記憶されるとともに（Ｓ１０３）、管理サーバ４は、チャージ処理部４４によるチャージ処理を受けて、電子マネー情報管理部４１の利用者ＩＤ情報に紐付けて管理される電子マネー情報を要求された金額相当分だけ増額させて更新する（Ｓ１０４）。
【００６９】
なお、利用者による決済カード１への電子マネーチャージは、国内外のいずれで行ってもよく、また、後述するように国内滞在時に一般施設及びカジノ施設にて電子マネー決済をした結果、電子マネーの残額が少なくなった場合には、一般施設及びカジノ施設のいずれかの場所に設置される電子マネーチャージ用決済カード利用機（図略）を用いて適時に繰り返して行うことができる（図２における点線矢印参照）。さらに、決済カード１を国外に持ち帰る場合には、当外国にて決済カード１にチャージされた電子マネーを現地通貨にて引き出せるようにしてもよい。
【００７０】
利用者が決済カード１を所有していない場合には、所定の電子マネー記憶決済カード発行機（図略）に現金またはクレジットカードを挿入して、要求された金額に相当する電子マネー情報が記憶された決済カード１の発行を受けることができる。
【００７１】
＜一般施設における電子マネー決済＞
図４に示すように、利用者が一般施設にて電子マネー決済をする場合、具体的には、店舗での買い物時に商品代金の支払い決済をする場合には、まず、一般施設装置２のカード記憶情報授受部２０に決済カード１をセットし、一般施設装置２のカード記憶情報授受部２０にて電子マネー情報及び身分証明情報を読み取って（Ｓ２００）、代金情報受付部２１にて入力された商品サービス情報（金額）と比較して、電子マネー情報が購入する商品の決済額に足りる場合に電子マネーを減額する決済処理を行う（Ｓ２０１）。
【００７２】
一般施設装置２は、一般決済処理部２２から送られた決済処理に基づいた更新指示を電子マネー処理部２３が受け取ると、電子マネー決済後の変更された電子マネー情報（電子マネー残高情報）に基づいて、電子マネー処理部２３にて一般施設装置２のカード記憶情報授受部２０にセットされた決済カード１の電子マネー情報を更新する（Ｓ２０２）。また、一般施設装置２は、管理情報通信部２４を介して利用者ＩＤ情報とともに変更された電子マネー情報（電子マネー残高情報）を含む決済報告を管理サーバ４へと送信する（Ｓ２０３）。
【００７３】
管理サーバ４は、一般施設装置２からの決済報告を受けて、決済により変更のあった電子マネー情報に基づいて、電子マネー情報管理部４１にて管理される電子マネー情報を減額して更新するとともに（Ｓ２０４）、決済報告に含まれる利用者の一般施設での購買履歴に関する情報に基づいて、行動履歴情報管理部４３にて管理される電子マネー残高情報等の行動履歴情報を更新する（Ｓ２０５）。
【００７４】
＜カジノ施設における電子マネー決済（入場料の支払い）＞
図５に示すように、利用者がカジノ施設にて電子マネー決済をする場合、具体的には、カ施設での入場料の支払い決済をする場合には、まず、カジノ施設の入退場口に設置された入退場装置５０のカード記憶情報授受部３０ａに決済カード１をセットし、カジノ施設装置３のカード記憶情報授受部３０ａにて身分証明情報を読み取り（Ｓ３００）、入場管理部３２にて利用者がカジノ施設に入場可能な人物であるかどうかを判断する（Ｓ３０１）。
【００７５】
カジノ施設装置３は、利用者がカジノ施設に入場可能な人物であると判断した場合に、カジノ決済処理部３３にて、カード記憶情報授受部３０ａにて読み取られた電子マネー情報及び身分証明情報に基づいて、代金情報受付部３１にて入力された入退場装置５０での入場料に関するカジノ利用情報と比較し、電子マネー情報が入場料の決済額に足りる場合に電子マネーを減額する決済処理を行う（Ｓ３０２）。
【００７６】
カジノ施設装置３は、カジノ決済処理部３３から送られた決済処理に基づいた更新指示を電子マネー処理３４が受け取ると、電子マネー決済後の変更された電子マネー情報（電子マネー残高情報）に基づいて、カジノ決済処理部３３にてカジノ施設装置３のカード記憶情報授受部３０ａにセットされた決済カード１の電子マネー情報を更新する（Ｓ３０３）。また、カジノ施設装置３は、管理情報通信部３５を介して利用者ＩＤ情報とともに変更された電子マネー情報（電子マネー残高情報）を含む決済報告を管理サーバ４へと送信する（Ｓ３０４）。
【００７７】
管理サーバ４は、カジノ施設装置３からの決済報告を受けて、決済により変更のあった電子マネー情報に基づいて、電子マネー情報管理部４１にて管理される電子マネー情報を減額して更新するとともに（Ｓ３０５）、決済報告に含まれる利用者のカジノ施設での入場履歴に関する情報に基づいて、行動履歴情報管理部４３にて管理される電子マネー残高情報等の行動履歴情報を更新する（Ｓ３０６）。
【００７８】
＜カジノ施設における電子マネー決済（ゲーム対価の支払い及び賞金払い戻し）＞
図６に示すように、利用者がカジノ施設にて電子マネー決済をする場合、具体的には、まず、カジノサービスで発生したゲーム対価の支払い決済をする場合には、カジノ施設に入場した利用者は、所定のカジノゲーム機やテーブルゲーム機に設置に設置された遊技金購入装置５１又はチップ購入装置５２のカード記憶情報授受部３０ｂ・３０ｃに決済カード１をセットする。
【００７９】
次いで、カジノ施設装置３のカード記憶情報授受部３０ｂ・３０ｃにて身分証明情報を読み取り（Ｓ４００）、カジノ決済処理部３３にてかかる身分証明情報に基づいて利用者が身元を特定可能な人物であるかどうかを判断する（Ｓ４０１）。そして、カジノ施設装置３は、利用者の身元を特定できた場合に、カード記憶情報授受部３０ｂ・３０ｃにて読み取られた電子マネー情報及び身分証明情報に基づいて、代金情報受付部３１にて入力された遊技金購入装置５１又はチップ購入装置５２でのゲーム対価の支払い額と比較して、電子マネー情報がゲーム対価の支払の決済額に足りる場合に電子マネーを減額する決済処理を行う（Ｓ４０２）。
【００８０】
カジノ施設装置３は、カジノ決済処理部３３から送られた決済処理に基づいた更新指示を電子マネー処理部３４が受け取ると、電子マネー決済後の変更された電子マネー情報（電子マネー残高情報）に基づいて、電子マネー処理部３４にてカジノ施設装置３のカード記憶情報授受部３０ｂ・３０ｃにセットされた決済カード１の電子マネー情報を更新する（Ｓ４０３）。また、カジノ施設装置３は、管理情報通信部３５を介して利用者ＩＤ情報とともに変更された電子マネー情報（電子マネー残高情報）を含む決済報告を管理サーバ４へと送信する（Ｓ４０４）。
【００８１】
管理サーバ４は、カジノ施設装置３からの決済報告を受けて、決済により変更のあった電子マネー情報に基づいて、電子マネー情報管理部４１にて管理される電子マネー情報を減額して更新するとともに（Ｓ４０５）、決済報告に含まれる利用者のカジノ施設での遊技履歴に関する情報に基づいて、行動履歴情報管理部４３にて管理される電子マネー残高情報等の行動履歴情報を更新する（Ｓ４０６）。
【００８２】
一方、カジノサービスで発生した賞金の払い戻し決済をする場合には、所定の案内カウンタ等に設置された賞金払戻装置５３のカード記憶情報授受部３０ｄに決済カード１をセットし、カジノ施設装置３のカード記憶情報授受部３０ｄにて電子マネー情報及び身分証明情報を読み取り（Ｓ４１０）、カジノ決済処理部３３にて賞金の払い戻しに応じて電子マネーを増額する決済処理を行う（Ｓ４１１）。
【００８３】
このとき、カジノ決済処理部３３にて決済処理された払戻金が所定額以上の場合には、利用者税徴収管理部３８にて利用者が国又は地方公共団体に納付すべき税額を演算して記憶する（Ｓ４１２）。そして、カジノ施設装置３は、カジノ決済処理部３３での決済処理に基づいて、管理情報通信部３５を介して賞金の払い戻しに応じた金額に相当する電子マネーのチャージ要求を管理サーバ４に送信する（Ｓ４１３）。
【００８４】
管理サーバ４は、カジノ施設装置３からのチャージ要求を受けて、チャージ処理部４４にて要求された金額に相当する電子マネーを決済カード１にチャージし（Ｓ４１４）、決済カード１の電子マネー情報記憶部１２に記憶された電子マネー情報を更新する（Ｓ４１５）。また、管理サーバ４は、電子マネー情報管理部４１にて管理される電子マネー情報を要求金額相当分だけ増額して更新するとともに（Ｓ４１６）、利用者のカジノ施設での遊技履歴に関する情報に基づいて、行動履歴情報管理部４３にて管理される電子マネー残高情報等の行動履歴情報を更新する（Ｓ４１７）。
【００８５】
なお、カジノ施設装置３は、上述したゲーム対価の支払い及び賞金払い戻しの一連の決済処理に伴って、カジノ決済処理部３３にて決済処理されたゲーム対価の支払いに応じた支払金情報及び賞金払い戻しに基づく払戻金情報をカジノ決済管理部３６に記憶し（Ｓ４２０）、カジノ事業者税徴収管理部３７にてカジノ決済管理部３６に記憶された支払金情報及び払戻金情報に基づいてカジノ事業者が国又は地方公共団体に納付すべきカジノ税額を演算して記憶する（Ｓ４２１）。
【００８６】
以上のように、本実施例の電子マネー決済システム１００は、カジノを含む統合型リゾートで外国人旅行者向けに提供される各種商品購入やサービスの決済を電子マネーにて行う電子マネー決済システムであって、電子マネー情報及び外国人旅行者のパスポート情報を含む身分証明情報を記憶した決済カード１と、決済カード１に記憶された電子マネー情報及び身分証明情報に基づいて、カジノを除くその他の施設での一般商品取引やサービス提供に応じた電子マネーの決済処理を行う一般決済処理部２２と、決済カード１に記憶された電子マネー情報及び身分証明情報に基づいて、統合型リゾートでのカジノサービスで発生したゲーム対価の支払い又は賞金払い戻しに応じた電子マネーの決済処理を行うカジノ決済処理部３３と、一般決済処理部２２又はカジノ決済処理部３３の決済処理に基づいて、決済カード１に記憶された電子マネー情報を更新する電子マネー処理部２３・３４と、を具備してなるため、ＩＲ及びインバウンド戦略の基盤となる金融オペレーションをコントロールして、外国人旅行者の利便性向上やストレス低減に寄与するとともに、カジノを含む統合型リゾートの「安全・安心」な運営が可能となるのである。
【００８７】
すなわち、本実施例の電子マネー決済システム１００では、カジノを含む統合型リゾートの施設内での一般商品取引やサービス提供に応じた電子マネーの決済処理が可能となり、カジノサービスで発生したゲーム対価の支払い又は賞金払い戻しに応じた電子マネーの決済処理を適切に行うことで、カジノ事業者や利用者としての外国人旅行者の資金管理をコントロールすることができ、適切な税の徴収とマネーロンダリングの効果的な防止を実現することができる。
【００８８】
また、利用者としての外国人旅行者にとっても、決済カード１を所持するだけでよいため、キャッシュレス化による利便性が向上し、統合型リゾートへと自然に誘致され、かかる外国人旅行者を囲い込むことによる地域経済の振興に繋がることが期待できる。特に、一般決済処理部２２及びカジノ決済処理部３３の決済処理の際には、外国人旅行者のパスポート情報を含む身分証明情報に基づくこととしているため、決済の度にパスポートを提示するストレスも低減され、また、利用者としての外国人旅行者の身分が適正に証明されることで、外国人旅行者の犯罪抑制にもつながり、適切な監視及び管理の下でカジノを含む統合型リゾートを健全に運営することができる。
【００８９】
また、本実施例の電子マネー決済システム１００は、カジノ決済処理部３３にて決済処理されたゲーム対価の支払いに応じた支払金情報及び賞金払い戻しに基づく払戻金情報を記憶するカジノ決済管理部３６と、カジノ決済管理部３６に記憶された支払金情報及び払戻金情報に基づいてカジノ事業者が国又は地方公共団体に納付すべきカジノ税額を演算して記憶するカジノ事業者税徴収管理部３７とを具備してなるため、カジノ決済記憶部３６にて各種情報が管理されることで、例えば、当局に対する報告義務を適正に履行するなどしてカジノ施設の健全性を担保することができる。また、カジノ事業者税徴収管理部３にてカジノ税額が適正に管理されるため、カジノ事業者からの適正な税徴収が可能となり、国又は地方公共団体の財政改善に寄与することができる。
【００９０】
また、カジノ決済処理部３３にて決済処理された払戻金が所定額以上の場合に、利用者が国又は地方公共団体に納付すべき税額を演算して記憶する利用者税徴収管理部３８を具備してなるため、カジノ利用者からの適正な税徴収が可能となり、国又は地方公共団体の財政改善に寄与することができる。
【００９１】
また、カジノ決済処理部３３からの賞金払い戻しに応じた電子マネーのチャージ要求を受けて、決済カード１に記憶された電子マネー情報を更新して相当する電子マネーをチャージするチャージ処理部４４を具備してなるため、カジノ施設における賞金の払い戻しを管理サーバ４との間で決済処理されることで、かかる電子マネーを決済カード１にチャージして持ち出すことが可能となり、利用者における利便性が向上される。
【００９２】
また、一般決済処理部２２又はカジノ決済処理部３３の決済処理に基づいて、電子マネーの利用状況にて裏付けられた利用者の行動履歴に関する情報を管理する行動履歴情報管理部４３を具備してなるため、行動履歴情報管理部４３にて管理された利用者の行動履歴情報をビッグデータとして活用して、ターゲット利用者に向けた適切なサービスを提供できるようになれば、外国人旅行者を統合型リゾートへとより効率的に集客することができる。
【００９３】
また、一般決済処理部２２は、同一施設で一定の利用履歴がある場合に、一般商品取引やサービス提供に応じた電子マネーの決済を割り引いて処理するため、利用者である外国人旅行者のインセンティブを高めて、更なる利用を促進することができる。
【００９４】
なお、電子マネー決済システム１００の構成としては、上述した実施例に限定されず、本発明の目的を逸脱しない限りにおいて種々の変更が可能である。以下に示す実施例では、上記実施例と同一の構成についてはその詳細な説明を省略する。
【００９５】
すなわち、上述した実施例の電子マネー決済システム１００（図１等参照）では、決済カード１において、カード情報として電子マネー情報（電子マネー情報記憶部１２）及び身分証明情報（身分証明情報記憶部１３）を有し、一般施設装置２及びカジノ施設装置３にて決済処理を行うように構成されているが、例えば、決済カード１に電子マネー情報等を有さず、管理サーバ４にて電子マネー情報の管理・決済処理を行うように構成してもよい。
【００９６】
図７に示す実施例の電子マネー決済システム２００では、上述した実施例（図１等参照）とは異なり、管理サーバ４にて電子マネー情報の管理・決済処理を行うように構成されており、具体的には、決済カード１０１に利用者ＩＤ情報を記憶した利用者ＩＤ情報記憶部１１１のみが設けられ、管理サーバ１０４に電子マネー情報を利用者ＩＤ情報に紐付けて管理する電子マネー情報管理１４１、及び身分証明情報を利用者ＩＤ情報に紐付けて管理する利用者情報管理部１４２が設けられる。
【００９７】
また、管理サーバ１０４には、決済カード１０１に記憶された利用者ＩＤ情報に対応する電子マネー情報及び身分証明情報に基づいて、電子マネーの決済処理を行う一般決済処理手段及びカジノ決済処理手段としての決済処理部１４５、決済処理部１４５の決済処理に基づいて、電子マネー情報管理部１４２に記憶された電子マネー情報を更新する電子マネー処理部１４６が設けられ、さらに、上述した実施例（図１等参照）とは異なり、入場管理部１３２、カジノ決済管理部１３６、カジノ事業者税徴収管理部１３７、及び利用者税徴収管理部１３８がそれぞれ設けられている。
【００９８】
以下に、本実施例の電子マネー決済システム２００の決済処理の流れの一例について、上述した実施例（図１等参照）と同じく利用者の行動パターンと共に説明する。
【００９９】
＜電子マネーのチャージ＞
図８に示すように、利用者が決済カード１０１に電子マネーをチャージする場合は、所定の電子マネーチャージ用決済カード利用機（図略）に決済カード１０１をセットし、現金またはクレジットカード等を挿入して利用者ＩＤ情報とともに電子マネーのチャージ（書込み）を管理サーバ１０４に対して要求する（Ｓ５００）。この要求に対して管理サーバ１０４は、例えば、クレジットカードセンタや利用者の口座を管理する金融機関のセンタ等に照会要求を行って要求された金額の決済ができることを確認した後（Ｓ５０１）、電子マネー処理部１４６（チャージ処理手段）にて、利用者ＩＤ情報に対応する電子マネー情報管理部１４１の電子マネー情報を要求された金額相当分だけ増額させて更新する（Ｓ５０２）。
【０１００】
＜一般施設における電子マネー決済＞
図９に示すように、利用者が一般施設にて電子マネー決済をする場合、具体的には、店舗での買い物時に商品代金の支払い決済をする場合には、まず、一般施設装置１０２のカード記憶情報授受部１２０に決済カード１０１をセットし、一般施設装置１０２のカード記憶情報授受部１２０にて利用者ＩＤ情報を読み取って（Ｓ６００）、代金情報受付部１２１にて入力された商品サービス情報（金額）とともに、管理サーバ１０４へ送信する（Ｓ６０１）。
【０１０１】
管理サーバ１０４は、決済処理部１４５にて、利用者ＩＤ情報に対応する電子マネー情報管理部１４１の電子マネー情報及び利用者情報管理部１４２の身分証明情報に基づいて、電子マネー情報が購入する商品の決済額に足りる場合に電子マネーを減額する決済処理を行う（Ｓ６０２）。そして、一般施設装置１０２に決済結果（決済報告）を送信するとともに（Ｓ６０３）、決済により変更のあった電子マネー情報に基づいて、電子マネー処理部１４６にて電子マネー情報管理部１４１の電子マネー情報を減額して更新し（Ｓ６０４）、行動履歴情報管理部１４３にて管理される電子マネー残高情報等の行動履歴情報を更新する（Ｓ６０５）。
【０１０２】
＜カジノ施設における電子マネー決済（入場料の支払い）＞
図１０に示すように、利用者がカジノ施設にて電子マネー決済をする場合、具体的には、カ施設での入場料の支払い決済をする場合には、まず、カジノ施設の入退場口に設置された入退場装置１５０のカード記憶情報授受部１３０ａに決済カード１０１をセットし、カード記憶情報授受部１３０ａにて利用者ＩＤ情報を読み取り（Ｓ７００）、かかる利用者ＩＤ情報を管理サーバ１０４へ送信し（Ｓ７０１）。管理サーバ１０４の入場管理部１３２にて、利用者ＩＤ情報に対応する利用者情報管理部１４２の身分証明情報に基づいて、利用者がカジノ施設に入場可能な人物であるかどうかを判断する（Ｓ７０２）。
【０１０３】
管理サーバ１０４は、利用者がカジノ施設に入場可能な人物であると判断した場合に、決済処理部１４５にて、カード記憶情報授受部１３０ａにて読み取られた利用者ＩＤ情報に対応する電子マネー情報管理部１４１の電子マネー情報及び利用者情報管理部１４２の身分証明情報に基づいて、代金情報受付部１３１にて入力された入退場装置１５０での入場料に関するカジノ利用情報と比較し、電子マネー情報が入場料の決済額に足りる場合に電子マネーを減額する決済処理を行う（Ｓ７０３）。
【０１０４】
そして、管理サーバ１０４は、カジノ施設装置１０３に決済結果（決済報告）を送信するとともに（Ｓ７０４）、決済により変更のあった電子マネー情報に基づいて、電子マネー処理部１４６にて電子マネー情報管理部１４１の電子マネー情報を減額して更新し（Ｓ７０５）、行動履歴情報管理部１４３にて管理される電子マネー残高情報等の行動履歴情報を更新する（Ｓ７０６）。
【０１０５】
＜カジノ施設における電子マネー決済（ゲーム対価の支払い及び賞金払い戻し）＞
図１１に示すように、利用者がカジノ施設にて電子マネー決済をする場合、具体的には、まず、カジノサービスで発生したゲーム対価の支払い決済をする場合には、カジノ施設に入場した利用者は、所定のカジノゲーム機やテーブルゲーム機に設置に設置された遊技金購入装置１５１又はチップ購入装置１５２のカード記憶情報授受部１３０ｂ・１３０ｃに決済カード１０１をセットし、カード記憶情報授受部１３０ｂ・１３０ｃにて利用者ＩＤ情報を読み取り（Ｓ８００）、かかる利用者ＩＤ情報を管理サーバ１０４へ送信し（Ｓ８０１）、管理サーバ１０４の決済処理部１４５にて、利用者ＩＤ情報に対応する利用者情報管理部１４２の身分証明情報に基づいて、利用者が身元を特定可能な人物であるかどうかを判断する（Ｓ８０２）。
【０１０６】
管理サーバ１０４は、利用者の身元を特定できた場合に、決済処理部１４５にて、カード記憶情報授受部１３０ｂ・１３０ｃにて読み取られた利用者ＩＤ情報に対応する電子マネー情報管理部１４１の電子マネー情報及び利用者情報管理部１４２の身分証明情報に基づいて、代金情報受付部１３１にて入力された遊技金購入装置１５１又はチップ購入装置１５２でのゲーム対価の支払い額と比較して、電子マネー情報がゲーム対価の支払の決済額に足りる場合に電子マネーを減額する決済処理を行う（Ｓ８０３）。
【０１０７】
そして、管理サーバ１０４は、カジノ施設装置１０３に決済結果（決済報告）を送信するとともに（Ｓ８０４）、決済により変更のあった電子マネー情報に基づいて、電子マネー処理部１４６にて電子マネー情報管理部１４１の電子マネー情報を減額して更新し（Ｓ８０５）、行動履歴情報管理部１４３にて管理される電子マネー残高情報等の行動履歴情報を更新する（Ｓ８０６）。
【０１０８】
一方、カジノサービスで発生した賞金の払い戻し決済をする場合には、所定の案内カウンタ等に設置された賞金払戻装置１５３のカード記憶情報授受部１３０ｄに決済カード１０１をセットし、カード記憶情報授受部１３０ｄにて利用者ＩＤ情報を読み取り（Ｓ８１０）、かかる利用者ＩＤ情報を管理サーバ１０４へ送信し（Ｓ８１１）、利用者ＩＤ情報に対応する電子マネー情報管理部１４１の電子マネー情報及び利用者情報管理部１４２の身分証明情報に基づいて、管理サーバ１０４の決済処理部１４５にて賞金の払い戻しに応じて電子マネーを増額する決済処理を行う（Ｓ８１２）。
【０１０９】
このとき、管理サーバ１０４は、カジノ施設装置１０３に決済結果（決済報告）を送信するとともに（Ｓ８１３）、決済処理部１４５にて決済処理された払戻金が所定額以上の場合には、利用者税徴収管理部１３８にて利用者が国又は地方公共団体に納付すべき税額を演算して記憶する（Ｓ８１４）。そして、管理サーバ１０４は、カジノ決済処理部１４５での決済処理に基づいて、電子マネー処理部１４６にて、電子マネー情報管理部１４１の電子マネー情報を賞金の払い戻しに応じた金額相当分だけ増額させて更新するとともに（Ｓ８１５）、利用者のカジノ施設での遊技履歴に関する情報に基づいて、行動履歴情報管理部１４３にて管理される電子マネー残高情報等の行動履歴情報を更新する（Ｓ８１６）。
【０１１０】
なお、管理サーバ１０４は、上述したゲーム対価の支払い及び賞金払い戻しの一連の決済処理に伴って、決済処理部１４５にて決済処理されたゲーム対価の支払いに応じた支払金情報及び賞金払い戻しに基づく払戻金情報をカジノ決済管理部１３６に記憶し（Ｓ８２０）、カジノ事業者税徴収管理部１３７にてカジノ決済管理部１３６に記憶された支払金情報及び払戻金情報に基づいてカジノ事業者が国又は地方公共団体に納付すべきカジノ税額を演算して記憶する（Ｓ８２１）。
【０１１１】
このように、本実施例の電子マネー決済システム２００では、利用者毎に設定される利用者ＩＤ情報を記憶した決済カード１０１と、電子マネー情報を利用者ＩＤ情報に紐付けて管理する電子マネー情報管理部１４１と、外国人旅行者のパスポート情報を含む身分証明情報を利用者ＩＤ情報に紐付けて管理する利用者情報管理部１４２と、決済カード１０１に記憶された利用者ＩＤ情報に対応する電子マネー情報及び身分証明情報に基づいて、カジノを除くその他の施設での一般商品取引やサービス提供に応じた電子マネーの決済処理を行う一般決済処理手段としての決済処理部１４５と、決済カード１０１に記憶された利用者ＩＤ情報に対応する電子マネー情報及び身分証明情報に基づいて、統合型リゾートでのカジノサービスで発生したゲーム対価の支払い又は賞金払い戻しに応じた電子マネーの決済処理を行うカジノ決済処理手段としての決済処理部１４５と、決済処理部１４５の決済処理に基づいて、電子マネー情報管理部１４１に記憶された電子マネー情報を更新する電子マネー処理部１４６と、を具備してなるため、サーバ（管理サーバ４）にて電子マネー情報の管理・決済処理を行う「シンクライアントシステム」と呼ばれるクライアントサーバシステムを容易に構築することができ、電子マネー情報管理部１４１、利用者情報管理部１４２、決済処理部１４５、及び電子マネー処理部１４６を有する管理サーバ４にて演算処理を実行させることで、クライアント端末における処理負担を軽減して、クライアント端末の小型・軽量化を実現できるとともに、拡張性やセキュリティ性に優れたシステムとすることができる。
【０１１２】
なお、上述した実施例（図７等参照）では、決済処理部１４５が一般決済処理手段及びカジノ決済処理手段を兼ねるように構成されているが、一般決済処理とカジノ決済処理とを分けてそれぞれ対応する決済処理手段が設けられてもよい。
【０１１３】
また、上述した実施例の電子マネー決済システム１００（図１等参照）では、決済カード手段としての決済カード１を非接触型カードとして構成した場合について説明したが、かかる決済カード手段の構成はこれに限定されず、例えば、携帯端末機器としての携帯電話機に装着可能な電子装置（ＳＩＭカード）として構成してもよく、また、ＮＦＣ（Ｎｅａｒ  Ｆｉｅｌｄ  Ｃｏｍｍｕｎｉｃａｔｉｏｎ）搭載の通信端末装置に実装して構成してもよい。
【０１１４】
また、上述した実施例の電子マネー決済システム１００（図１等参照）では、決済カード１による決済額の制限については特に限定しないが、例えば、一定額以上の決済に使用する際には、決済カード１に記憶された身分証明情報に基づくなどして本人確認を要求するものとし、盗難や紛失等による利用者の意図しない損失を防止するようにしてもよい。かかる場合には、例えば、決済カード１に指紋認証等の物理的な認証機能を具備させてもよい。
【０１１５】
また、上述した実施例の電子マネー決済システム１００（図１等参照）では、一つの一般施設装置２及びカジノ施設装置３が通信ネットワーク１０を介して管理サーバ４と通信可能に接続される構成について説明したが、管理サーバ４と接続される一般施設装置２及びカジノ施設装置３の個数はこれに限定されず、一つ又は複数であれば任意である。
【０１１６】
また、上述した実施例の電子マネー決済システム１００（図１等参照）では、一般施設装置２、カジノ施設装置３及び管理サーバ４を構成する処理部の構成はこれに限定されず、一つ又は複数の装置として構成されてもよい。
【０１１７】
また、上述した実施例の電子マネー決済システム１００では、管理サーバ４がＷｅｂサーバ、アプリケーションサーバ及びデータベースサーバ等が１つの装置で構成されている場合について説明したが、それぞれ個別のサーバ装置で構成されてもよい。
【符号の説明】
【０１１８】
１      決済カード（決済カード手段）
２      一般施設装置
３      カジノ施設装置
４      管理サーバ
１０    通信ネットワーク
１１    利用者ＩＤ情報記憶部
１２    電子マネー情報記憶部
１３    身分証明情報記憶部
２０    カード記憶情報授受部
２２    一般決済処理部（一般決済処理手段）
２３    電子マネー処理部
３０    カード記憶情報授受部
３２    入場管理部
３３    カジノ決済処理部（カジノ決済処理手段）
３４    電子マネー処理部（電子マネー処理手段）
３６    カジノ決済管理部（カジノ決済記憶手段）
３７    カジノ事業者税徴収管理部（カジノ事業者税徴収管理手段）
３８    利用者税徴収管理部（利用者税徴収管理手段）
４０    管理情報管理部
４１    電子マネー情報管理部
４２    利用者情報管理部
４３    行動履歴情報管理部（行動履歴情報管理手段）
４４    チャージ処理部（チャージ処理手段）
１００  電子マネー決済システム
【図１】
2015143986.tif 000003
【図２】
2015143986.tif 000004
【図３】
2015143986.tif 000005
【図４】
2015143986.tif 000006
【図５】
2015143986.tif 000007
【図６】
2015143986.tif 000008
【図７】
2015143986.tif 000009
【図８】
2015143986.tif 000010
【図９】
2015143986.tif 000011
【図１０】
2015143986.tif 000012
【図１１】
2015143986.tif 000013
【手続補正書】
【提出日】平成27年6月4日(2015.6.4)
【手続補正１】
【補正対象書類名】特許請求の範囲
【補正対象項目名】全文
【補正方法】変更
【補正の内容】
【特許請求の範囲】
【請求項１】
カジノを含む統合型リゾートで外国人旅行者向けに提供される各種商品購入やサービスの決済を電子マネーにて行う電子マネー決済システムであって、
電子マネー情報、並びに外国人旅行者のパスポート情報及びＶＩＳＡ情報を含む身分証明情報を記憶した決済カード手段と、
前記決済カード手段に記憶された電子マネー情報及び身分証明情報に基づいて、カジノを除くその他の施設での一般商品取引やサービス提供に応じた電子マネーの決済処理を行う一般決済処理手段と、
前記決済カード手段に記憶された電子マネー情報及び身分証明情報に基づいて、統合型リゾートでのカジノサービスで発生したゲーム対価の支払い又は賞金払い戻しに応じた電子マネーの決済処理を行うカジノ決済処理手段と、
前記一般決済処理手段又はカジノ決済処理手段の決済処理に基づいて、前記決済カード手段に記憶された電子マネー情報を更新する電子マネー処理手段と、を具備してなり、
前記一般決済処理手段又はカジノ決済処理手段にて、前記決済カード手段に記憶された身分証明情報に含まれるパスポート情報及びＶＩＳＡ情報に基づいて、外国人旅行者が身元を特定可能な人物であるかどうかを判断し、該外国人旅行者の身元を適正に特定できた場合に、前記決済カード手段に記憶された電子マネー情報に基づいて電子マネーを減額又は増額する決済処理を行う、
ことを特徴とするカジノを含む統合型リゾートでの外国人旅行者向け電子マネー決済システム。
【請求項２】
カジノを含む統合型リゾートで外国人旅行者向けに提供される各種商品購入やサービスの決済を電子マネーにて行う電子マネー決済システムであって、
利用者毎に設定される利用者ＩＤ情報を記憶した決済カード手段と、
電子マネー情報を利用者ＩＤ情報に紐付けて管理する電子マネー情報管理手段と、
外国人旅行者のパスポート情報及びＶＩＳＡ情報を含む身分証明情報を利用者ＩＤ情報に紐付けて管理する利用者情報管理手段と、
前記決済カード手段に記憶された利用者ＩＤ情報に対応する電子マネー情報及び身分証明情報に基づいて、カジノを除くその他の施設での一般商品取引やサービス提供に応じた電子マネーの決済処理を行う一般決済処理手段と、
前記決済カード手段に記憶された利用者ＩＤ情報に対応する電子マネー情報及び身分証明情報に基づいて、カジノ施設でのカジノサービスで発生したゲーム対価の支払い又は賞金払い戻しに応じた電子マネーの決済処理を行うカジノ決済処理手段と、
前記一般決済処理手段又はカジノ決済処理手段の決済処理に基づいて、前記電子マネー情報管理手段に記憶された電子マネー情報を更新する電子マネー処理手段と、を具備してなり、
前記一般決済処理手段又はカジノ決済処理手段にて、前記決済カード手段に記憶された利用者ＩＤ情報に対応する前記利用者情報管理手段に記憶された身分証明情報に含まれるパスポート情報及びＶＩＳＡ情報に基づいて、外国人旅行者が身元を特定可能な人物であるかどうかを判断し、該外国人旅行者の身元を適正に特定できた場合に、利用者ＩＤ情報に対応する前記電子マネー情報管理手段に記憶された電子マネー情報に基づいて電子マネーを減額又は増額する決済処理を行う、
ことを特徴とするカジノを含む統合型リゾートでの外国人旅行者向け電子マネー決済システム。
【請求項３】
前記カジノ決済処理手段にて決済処理されたゲーム対価の支払いに応じた支払金情報及び賞金払い戻しに基づく払戻金情報を記憶するカジノ決済管理手段と、
前記カジノ決済管理手段に記憶された支払金情報及び払戻金情報に基づいてカジノ事業者が国又は地方公共団体に納付すべきカジノ税額を演算して記憶するカジノ事業者税徴収管理手段と、
を具備してなる請求項１又は請求項２に記載のカジノを含む統合型リゾートでの外国人旅行者向け電子マネー決済システム。
【請求項４】
前記カジノ決済処理手段にて決済処理された払戻金が所定額以上の場合に、利用者が国又は地方公共団体に納付すべき税額を演算して記憶する利用者税徴収管理手段を具備してなる請求項１乃至請求項３のいずれか一項に記載のカジノを含む統合型リゾートでの外国人旅行者向け電子マネー決済システム。
【請求項５】
前記カジノ決済処理手段からの賞金払い戻しに応じた電子マネーのチャージ要求を受けて、前記決済カード手段又は電子マネー情報管理手段に記憶された電子マネー情報を更新して相当する電子マネーをチャージするチャージ処理手段を具備してなる請求項１乃至請求項４のいずれか一項に記載のカジノを含む統合型リゾートでの外国人旅行者向け電子マネー決済システム。
【請求項６】
前記一般決済処理手段及びカジノ決済処理手段の決済処理に基づいて、電子マネーの利用状況にて裏付けられた利用者の行動履歴に関する情報を管理する行動履歴情報管理手段を具備してなる請求項１乃至請求項５のいずれか一項に記載のカジノを含む統合型リゾートでの外国人旅行者向け電子マネー決済システム。
【請求項７】
前記一般決済処理手段は、同一施設で一定の利用履歴がある場合に、一般商品取引やサービス提供に応じた電子マネーの決済を割り引いて処理する請求項１乃至請求項６のいずれか一項に記載のカジノを含む統合型リゾートでの外国人旅行者向け電子マネー決済システム。
【手続補正２】
【補正対象書類名】明細書
【補正対象項目名】００１２
【補正方法】変更
【補正の内容】
【００１２】
すなわち、請求項１においては、カジノを含む統合型リゾートで外国人旅行者向けに提供される各種商品購入やサービスの決済を電子マネーにて行う電子マネー決済システムであって、電子マネー情報、並びに外国人旅行者のパスポート情報及びＶＩＳＡ情報を含む身分証明情報を記憶した決済カード手段と、前記決済カード手段に記憶された電子マネー情報及び身分証明情報に基づいて、カジノを除くその他の施設での一般商品取引やサービス提供に応じた電子マネーの決済処理を行う一般決済処理手段と、前記決済カード手段に記憶された電子マネー情報及び身分証明情報に基づいて、統合型リゾートでのカジノサービスで発生したゲーム対価の支払い又は賞金払い戻しに応じた電子マネーの決済処理を行うカジノ決済処理手段と、前記一般決済処理手段又はカジノ決済処理手段の決済処理に基づいて、前記決済カード手段に記憶された電子マネー情報を更新する電子マネー処理手段と、を具備してなり、前記一般決済処理手段又はカジノ決済処理手段にて、前記決済カード手段に記憶された身分証明情報に含まれるパスポート情報及びＶＩＳＡ情報に基づいて、外国人旅行者が身元を特定可能な人物であるかどうかを判断し、該外国人旅行者の身元を適正に特定できた場合に、前記決済カード手段に記憶された電子マネー情報に基づいて電子マネーを減額又は増額する決済処理を行う、ものである。
【手続補正３】
【補正対象書類名】明細書
【補正対象項目名】００１３
【補正方法】変更
【補正の内容】
【００１３】
請求項２においては、カジノを含む統合型リゾートで外国人旅行者向けに提供される各種商品購入やサービスの決済を電子マネーにて行う電子マネー決済システムであって、利用者毎に設定される利用者ＩＤ情報を記憶した決済カード手段と、電子マネー情報を利用者ＩＤ情報に紐付けて管理する電子マネー情報管理手段と、外国人旅行者のパスポート情報及びＶＩＳＡ情報を含む身分証明情報を利用者ＩＤ情報に紐付けて管理する利用者情報管理手段と、前記決済カード手段に記憶された利用者ＩＤ情報に対応する電子マネー情報及び身分証明情報に基づいて、カジノを除くその他の施設での一般商品取引やサービス提供に応じた電子マネーの決済処理を行う一般決済処理手段と、前記決済カード手段に記憶された利用者ＩＤ情報に対応する電子マネー情報及び身分証明情報に基づいて、カジノ施設でのカジノサービスで発生したゲーム対価の支払い又は賞金払い戻しに応じた電子マネーの決済処理を行うカジノ決済処理手段と、前記一般決済処理手段又はカジノ決済処理手段の決済処理に基づいて、前記電子マネー情報管理手段に記憶された電子マネー情報を更新する電子マネー処理手段と、を具備してなり、前記一般決済処理手段又はカジノ決済処理手段にて、前記決済カード手段に記憶された利用者ＩＤ情報に対応する前記利用者情報管理手段に記憶された身分証明情報に含まれるパスポート情報及びＶＩＳＡ情報に基づいて、外国人旅行者が身元を特定可能な人物であるかどうかを判断し、該外国人旅行者の身元を適正に特定できた場合に、利用者ＩＤ情報に対応する前記電子マネー情報管理手段に記憶された電子マネー情報に基づいて電子マネーを減額又は増額する決済処理を行う、ものである。